(57)【要約】      （修正有）【課題】故障や変形を生じ難く、耐久性のある眼鏡フレームを提供する。【解決手段】一端側でフロント１０に対して回動可能に軸支されるテンプル２０ａを有し、テンプルが開く方向に回動される際、テンプルの一端側の端部がフロントの第１当接部１０ａに当接することによりテンプルの回動が規制される眼鏡フレームにおいて、テンプルは、フロント側に延びてその先端部が自由端となっている板バネ部材４０を有し、板バネ部材は、テンプルが開く方向に回動される際、その回動が規制されるよりも前に板バネ部材の先端部４０ｃがフロントの第２当接部１０ｂに当接し、先端部が第２当接部に当接した状態で、さらにテンプルが開く方向に回動されると弾性変形する。【選択図】図６
0003188168.tif 000002
【実用新案登録請求の範囲】
【請求項１】
一端側でフロントに対して回動可能に軸支されるテンプルを有し、前記テンプルが開く方向に回動される際、前記テンプルの前記一端側の端部が前記フロントの第１当接部に当接することにより前記テンプルの回動が規制される眼鏡フレームにおいて、
前記テンプルは、前記一端側に延びてその先端部が自由端となっている板バネ部を有し、
前記板バネ部は、
前記テンプルが開く方向に回動される際、その回動が規制されるよりも前に前記先端部が前記フロントの第２当接部に当接し、前記先端部が前記第２当接部に当接した状態で、さらに前記テンプルが開く方向に回動されると弾性変形することを特徴とする眼鏡フレーム。
【請求項２】
前記テンプルは、本体部と、前記本体部よりも前記一端側で前記フロントに対して回動可能に軸支され、前記本体部よりも前記テンプルの回動軸の軸線方向における幅が短い連結部とを有し、
前記板バネ部は、前記テンプルが開かれる方向に向けて突出するように曲がった曲り形状部であって、前記軸線方向において前記連結部と隣り合う曲り形状部を有することを特徴とする請求項１に記載の眼鏡フレーム。
【請求項３】
前記曲り形状部は、前記軸線方向において前記連結部を両側で挟むように一対設けられることを特徴とする請求項２に記載の眼鏡フレーム。
【請求項４】
前記曲り形状部は、前記第２当接部に当接する前記先端部から前記テンプルが開かれる方向に向けて延びる第１部分と、前記第１部分から前記他端側へ向けて延びる第２部分と、前記第２部分から前記テンプルが閉じられる方向に向けて延びる第３部分とにより形成されることを特徴とする請求項２又は３に記載の眼鏡フレーム。
【考案の詳細な説明】
【技術分野】
【０００１】
本考案は、眼鏡フレームに関するものである。
【背景技術】
【０００２】
一般的に眼鏡フレームにおけるテンプルは、フロントに対して回動可能に設けられている。そのため、テンプルを折り畳むことで、眼鏡をコンパクトにして眼鏡ケース等に収納することができる。
【０００３】
ここで、ユーザが眼鏡を着脱しようとする際、不可避的にテンプルの自由端側が無理に広げられる傾向があり、その場合、テンプルとフロントの連結部分に大きな負荷が加わり、眼鏡フレームの故障や変形が起こる可能性がある。
【０００４】
そのような問題を解決するため、フロントとテンプルとを回動可能に連結する蝶番として、テンプルの基端部にコイルバネを設けたバネ蝶番を用いる眼鏡フレームが知られている（例えば、特許文献１参照）。このように、バネ蝶番を用いることによって、ユーザが眼鏡を掛ける際のテンプルを開いた位置（展開位置）にテンプルがある状態において、テンプルの自由端側を、折り畳む方向と逆側に弾性的にある程度広げることができる。そのため、テンプルとフロントの連結部分に大きな負荷がかかることを抑制することができ、眼鏡フレームの故障や変形を抑制することができる。
【先行技術文献】
【特許文献】
【０００５】
【特許文献１】特開２００１−２９０１０８号公報
【考案の概要】
【考案が解決しようとする課題】
【０００６】
しかしながら、特許文献１の眼鏡フレームは、コイルバネを用いているため構成が複雑であり、また、コイルバネは経年劣化を生じ易く、繰り返しの使用に弱いという課題があった。
【０００７】
そこで、本考案の目的は、故障や変形を生じ難く、耐久性のある眼鏡フレームを提供することにある。
【課題を解決するための手段】
【０００８】
本考案は、上記課題を解決するために以下の手段を採用した。
【０００９】
すなわち、本考案の眼鏡フレームは、
一端側でフロントに対して回動可能に軸支されるテンプルを有し、前記テンプルが開く方向に回動される際、前記テンプルの前記一端側の端部が前記フロントの第１当接部に当接することにより前記テンプルの回動が規制される眼鏡フレームにおいて、
前記テンプルは、前記一端側に延びてその先端部が自由端となっている板バネ部を有し、
前記板バネ部は、
前記テンプルが開く方向に回動される際、その回動が規制されるよりも前に前記先端部が前記フロントの第２当接部に当接し、前記先端部が前記第２当接部に当接した状態で、さらに前記テンプルが開く方向に回動されると弾性変形することを特徴とする。
【００１０】
板バネ部の先端部がフロントの第２当接部に当接した状態でさらにテンプルが開く方向に回動されると、板バネ部が弾性変形する。弾性変形した板バネ部には元の形状に戻ろうとする力を生じる。その元に戻ろうとする力は、テンプルが開く方向に回動されることに伴って弾性変形した板バネ部から生じるものであるため、テンプルを開く方向に反する方向に働く。そのため、テンプルが開かれる方向に大きな力が加わった場合であっても、テンプルとフロントの連結する部分に係る負荷を軽減することができる。また、板バネを用いたシンプルな構成となっているため、連結構造の複雑化やコストの増加を軽減することができる。
【００１１】
また、テンプルは、本体部と、本体部よりもフロント側でフロントに対して回動可能に軸支され、本体部よりもテンプルの回動軸の軸線方向における幅が短い連結部とを有し、板バネ部は、前記テンプルが開かれる方向に向けて突出するように曲がった曲り形状部であって、軸線方向において連結部と隣り合う曲り形状部を有することが好ましい。このように曲り形状部を有する構成により、板バネ部がより柔らかく弾性変形することが可能となり、弾性変形する板バネ部にかかる負荷が分散され、局所的にかかる負荷が軽減される。そのため、板バネ部が経年劣化し難くなり、耐久性が向上する。
【００１２】
さらに、曲り形状部は、軸線方向において連結部を両側で挟むように一対設けられることが好ましい。このような構成により、板バネ部によりテンプルの本体部に働く力が軸線方向において安定して働く。そのため、テンプルとフロントを連結する部分に余計な負荷がかかることなく、眼鏡フレームの故障、変形が生じ難くなる。
【００１３】
さらに、曲り形状部は、第２当接部に当接する先端部からテンプルが開かれる方向に向けて延びる第１部分と、第１部分からテンプルの本体部側へ向けて延びる第２部分と、第２部分からテンプルが閉じられる方向に向けて延びる第３部分とにより形成されることが好ましい。このように板バネ部が曲がった部分を複数有することにより、板バネ部にかかる負荷がさらに分散され、局所的にかかる負荷が軽減される。そのため、板バネ部の経年劣化が生じ難くなり、耐久性が向上する。
【考案の効果】
【００１４】
以上説明したように、本考案によれば、故障や変形を生じ難く、耐久性のある眼鏡フレームを提供することができる。
【図面の簡単な説明】
【００１５】
【図１】図１はテンプルが展開位置にある眼鏡フレームを上方側から見た図である。
【図２】図２（ａ）は眼鏡フレームを正面側から見た図であって、図２（ｂ）は眼鏡フレームを側面側から見た図である。
【図３】図３は連結部材を上方側から見た図である。
【図４】図４（ａ）は板バネ部材を上方側から見た図であって、図４（ｂ）は板バネ部材を側面側から見た図である。
【図５】図５は連結構造を示す斜視図である。
【図６】図６（ａ）は連結構造を上方側から見た図であって、テンプルが展開位置にある状態を示す図であり、図６（ｂ）は連結構造を上方側から見た図であって、展開位置からさらにテンプルを開いた状態を示す図である。
【考案を実施するための形態】
【００１６】
以下、図面を参照して、この考案を実施するための形態を実施例に基づいて例示的に詳しく説明する。ただし、この実施例に記載されている構成部品の寸法、材質、形状、その相対配置などは、特に特定的な記載がない限りは、この考案の範囲をそれらのみに限定する趣旨のものではない。
【００１７】
（本実施例）
＜眼鏡フレームの全体構成＞
図１、図２を参照して、本考案の実施例に係る眼鏡フレームの全体構成について説明する。ここで、以下、テンプルが折り畳まれた位置を折り畳み位置、ユーザが眼鏡を掛ける際のテンプルを開いた位置を展開位置と定義する。また、以下の記載において、上方、正面、側面は、眼鏡を着用したユーザから見た場合の方向を示している。
【００１８】
図１は、本実施例に係る眼鏡フレームの全体構成を示す図であって、テンプルが展開位置にある本実施例の眼鏡フレームを上方側から見た図である。図２は、本実施例の眼鏡フレームの全体構成を示す図であって、図２（ａ）はテンプルが展開位置にある本実施例の眼鏡フレームを正面側から見た図であって、図２（ｂ）はテンプルが展開位置にある本実施例の眼鏡フレームを側面側から見た図である。
【００１９】
本実施例に係る眼鏡フレームは、図１、図２に示すように、眼鏡フレームの前面部を構成するフロント１０と、テンプル２０とを備えている。テンプル２０は、フロント１０に対して回動可能に軸支されている。
【００２０】
本実施例のフロント１０は、左右一対のリム部（レンズ枠体）１１と、リム部１１の端部にそれぞれ設けられる一対の智１２と、を備える枠体である。フロント１０は、チタン、カーボン、アセテート、合金等からなる。
【００２１】
本実施例のテンプル２０は、フロント１０に対して、折り畳まれた折り畳み位置と、ユーザが眼鏡を掛ける際の展開位置との間を回動自在に設けられている。テンプル２０は、フロント１０と同様に、チタン、カーボン、アセテート、合金等からなる。
【００２２】
また、テンプル２０は、本体部２０ａと、連結部材３０と、板バネ部材４０とを備えている。なお、本実施例においては、連結部材３０は、本体部２０ａとは、別部材となっているがこれに限られるものではなく、本体部２０ａと一体に構成されていてもよい。また、同様に本実施例においては、板バネ部材４０は、本体部２０ａとは、別部材となっているがこれに限られるものではなく、本体部２０ａと一体に構成されていても良い。本考案の連結部は、本実施例の連結部材３０に対応する構成であり、本考案の板バネ部は、本実施例の板バネ部材４０に対応する構成である。
【００２３】
連結部としての連結部材３０は、本体部２０ａよりもフロント１０側（一端側）でフロントに対して回動可能に軸支され、本体部２０ａよりもテンプル２０の回動軸の軸線方向における幅が短い。
【００２４】
以下、図１〜図６を参照して、さらに本実施例に係る眼鏡フレームを構成する各部品の詳細を説明する。
【００２５】
＜連結部材＞
図１〜図３を参照して、本実施例の連結部材の構成について説明する。図３は、本実施例の連結部材を上方側から見た図である。
【００２６】
本実施例の連結部材３０はチタンからなる。連結部材３０は、フロント１０とテンプル２０の本体部２０ａを連結する部材である。具体的には、図１、図２に示すように、連結部材３０は、一端側でフロント１０の智１２に回動可能に設けられ、他端側でテンプル２０の本体部２０ａにねじ締結により固定されるように構成されている。このような構成により、連結部材３０は、フロント１０とテンプル２０の本体部２０ａとを連結し、テンプ
ル２０の本体部２０ａを折り畳み位置と展開位置との間を回動自在にしている。
【００２７】
また、図３に示すように、連結部材３０は、テンプル２０の内側方向に突出する円筒部３０ａを２つ有しており、この円筒部３０ａの内周面にはめねじが切られている。図３中の点線は、ねじ穴を透視したものである。また、連結部材３０は、回動の中心となるねじ孔３０ｂを有している。また、連結部材３０は、後述するように、フロント１０の第１当接部１０ａに当接することでテンプル２０の回動を規制するための先端部３０ｃを、連結部材３０（テンプル２０）が軸支される部分よりもフロント１０側に有している。
【００２８】
＜板バネ部材＞
次に、図１、図２、図４を参照して、本実施例の板バネ部材の構成について説明する。図４は本実施例の板バネ部材を示す図である。図４（ａ）は板バネ部材を上方側から見た図であって、図４（ｂ）は板バネ部材を側面側から見た図である。
【００２９】
本実施例の板バネ部材４０は、弾性を有するβチタンからなる。図４（ａ）、図４（ｂ）に示すように、板バネ部材４０は、上述の連結部材３０の円筒部３０ａが挿通される貫通孔４０ａを２つ有している。
【００３０】
また、図１、図４（ａ）に示すように、本実施例の板バネ部材４０は、テンプル２０を開く方向に突出するように曲がった曲り形状部を有する。具体的に、曲り形状部は、フロント１０の第２当接部１０ｂに当接可能な自由端側の先端部４０ｃから、テンプル２０が開かれる方向に向けて延びる第１部分４１ａと、第１部分４１ａからテンプル２０の本体部２０ａ側へ向けて延びる第２部分４１ｂと、第２部分４１ｂからテンプル２０が閉じられる方向に向けて延びる第３部分４１ｃとにより形成されている。
【００３１】
また、図２、図４に示すように、板バネ部材４０の曲り形状部は、テンプル２０の回動軸の軸線方向において連結部材３０と隣り合って、連結部材３０を両側で挟むように一対設けられている。なお、図４（ｂ）に示すように、板バネ部材４０の先端部４０ｃは、テンプル２０の回動軸の軸線方向に亘って形成されているが、軸線方向の両端のみに形成される構成でも良い。
【００３２】
＜フロントとテンプルの連結構造＞
次に、図１、図５を参照して、フロントとテンプルの連結構造について説明する。図５は、本実施例の連結構造を示す斜視図である。
【００３３】
図１、図５に示すように、板バネ部材４０は、テンプル２０の本体部２０ａ側の端部において、連結部材３０とテンプル２０の本体部２０ａとによって挟まれて設けられている。連結部材３０の円筒部３０ａ（図３参照）が、板バネ部材４０の貫通孔４０ａ（図４参照）とテンプル２０の本体部２０ａの貫通孔（不図示）に挿通された状態で、ねじ６０をめねじの切られた円筒部３０ａに挿通する。このようなねじ締結によって、連結部材３０、板バネ部材４０は、テンプル２０の本体部２０ａに固定される。
【００３４】
一方、フロント１０の智１２は、連結部材３０のねじ孔３０ｂと重ね合わされるねじ孔（不図示）を有している。智１２が有するねじ孔と連結部材３０が有するねじ孔３０ｂとが重ね合わされた状態で、ねじ６０が挿通されることにより、連結部材３０はフロント１０に対して回動可能に軸支される。これにより、テンプル２０の本体部２０ａがフロント１０に対して回動可能となる。
【００３５】
＜テンプルの回動の規制＞
次に、図６を参照して、テンプルの回動の規制について説明する。図６（ａ）は連結構
造を上方側から見た図であって、テンプルが展開位置にある状態を示す図であり、図６（ｂ）は連結構造を上方側から見た図であって、展開位置からさらにテンプルを開いた状態を示す図である。なお、図６の点線は、フロント１０の第１当接部１０ａ、連結部材３０の先端部３０ｃを透視したものを示している。
【００３６】
連結部材３０は、フロント１０に回動可能に軸支される部分よりもさらにフロント１０側に延びて、その先端部３０ｃが自由端となっている。また、フロント１０（智１２）には、連結部材３０のうちフロント１０に回動可能に軸支される部分よりもさらにフロント１０側に延びる部分が回動できるように、溝１２ａ（切欠き）が設けられている（図２（ｂ）、図５参照）。そして、このフロント１０の溝１２ａの底部が、連結部材３０の先端部３０ｃと当接することで連結部材３０（テンプル２０）の回動を規制するための第１当接部１０ａとなっている。
【００３７】
本実施例においてテンプル２０を外側に開いていくと、連結部材３０の軸支される部分よりもさらにフロント１０側の先端部３０ｃが、フロント１０の第１当接部１０ａに当接することにより、テンプル２０の外側に開く方向への回動は規制される。図６（ｂ）は、テンプル２０の外側に開く方向への回動が規制された状態を示している。連結部材３０の先端部３０ｃがフロント１０の第１当接部１０ａに当接しており、連結部材３０は、これ以上テンプル２０を外側へ開く方向へ回動できない。
【００３８】
＜本実施例の優れた点＞
さらに、図６等を参照して、本実施例の優れた点である、板バネ部材４０の作用について説明する。
【００３９】
本実施例において、テンプル２０を外側に開く際、図６（ｂ）に示すテンプル２０が最大限外側に開いた状態になる前に、板バネ部材４０のフロント１０側の先端部４０ｃが、フロント１０の第２当接部１０ｂに当接する。本実施例において、フロント１０の第２当接部１０ｂは、軸線方向における溝１２ａの両側に設けられており、板バネ部材４０の先端部４０ｃに当接可能に突出して設けられている。
【００４０】
図６（ａ）は、テンプル２０が展開位置にある状態を示しており、この状態において、板バネ部材４０の先端部４０ｃは、フロント１０の第２当接部１０ｂに弾性変形していない状態で当接している。なお、テンプル２０を図６（ａ）に示す展開位置よりも内側に閉じた状態にすると、板バネ部材４０の先端部４０ｃとフロント１０の第２当接部１０ｂは離間した状態になる。
【００４１】
板バネ部材４０の先端部４０ｃが、フロント１０の第２当接部１０ｂに当接した状態で、さらにテンプル２０を外側に開くように回動させると、板バネ部材４０が弾性変形しながら、テンプル２０は外側に開いていく。最終的に、連結部材３０の先端部３０ｃがフロント１０の第１当接部１０ａに当接した図６（ｂ）に示す状態となる。
【００４２】
ここで、弾性変形した板バネ部材４０には応力が働き、板バネ部材４０は元の形状に戻ろうとする。板バネ部材４０が元の形状に戻ろうとする力は、テンプル２０を外側に開く方向と逆向き、すなわち、テンプル２０を内側に閉じる方向（図６（ｂ）中の点線矢印）に働く。板バネ部材４０が元に戻ろうとする力は、テンプル２０が開く方向（図６（ａ）中の実線矢印）に回動されることに伴って弾性変形した板バネ部材４０から生じるものであるためである。
【００４３】
このように、本実施例に係る眼鏡フレームは、テンプル２０が完全に外側に開き切る前に、テンプル２０を内側へ閉じる方向に力を生じさせる板バネ部材４０を用いることによ
り、フロント１０とテンプル２０を連結する部分に大きな負荷がかかることを抑制できる。その結果、眼鏡フレームの破損や劣化を抑制することができる。
【００４４】
なお、本考案において曲り形状部は図４に示す形状に限られるものではなく、曲り形状部を有しない平板状の板バネ部材を用いても本考案の効果を得ることはできる。本実施例の板バネ部材４０は、曲り形状部を有していことにより、曲り形状部を有しない平板状の板バネを用いた場合と比較して、経年劣化が起こりにくく、繰り返しの使用に強い。曲り形状部を有することにより、より柔らかく弾性変形をすることが可能であって、板バネ部材４０のかかる負荷が分散され、局所的にかかる負荷が軽減されるためである。
【符号の説明】
【００４５】
１０  フロント
１０ａ  第１当接部
１０ｂ  第２当接部
１１  リム部
１２  智
２０  テンプル
３０  連結部材
３０ａ  円筒部
３０ｂ  ねじ孔
３０ｃ  先端部
４０  板バネ部材
４０ａ  ねじ孔
４０ｃ  先端部
５０、６０  ねじ
【図１】
0003188168.tif 000003
【図２】
0003188168.tif 000004
【図３】
0003188168.tif 000005
【図４】
0003188168.tif 000006
【図５】
0003188168.tif 000007
【図６】
0003188168.tif 000008